(57)【特許請求の範囲】
【請求項１】
日射遮蔽装置のブラケットと構造物の取付面との間に設置される日射遮蔽装置の補助部材であって、
前記ブラケットに係合する係合部を有し、
前記ブラケットと係合した状態で、前記ブラケットと一緒に前記構造物に固定され、
前記係合部は、前記ブラケットを両側から挟持することを特徴とする日射遮蔽装置の補助部材。
【請求項２】
日射遮蔽装置のブラケットと構造物の取付面との間に設置される日射遮蔽装置の補助部材であって、前記ブラケットに係合する係合部を有し、
複数の前記補助部材を互いに重ねて設置可能であり、
隣接して重ねられた他の前記補助部材の係合部に係合される被係合部を有し、
前記被係合部は、他の前記補助部材を前記取付面に垂直な軸回りに１８０度相対回転させた状態で、他の前記補助部材の係合部に係合可能になる位置に設けられていることを特徴とする日射遮蔽装置の補助部材。
【請求項３】
前記補助部材の端部から延出し、前記ブラケットの端部にスナップフィットで係合する端部係合部と、
前記端部係合部と反対側の前記補助部材の端部に設けられ、複数の前記補助部材を重ねて設置した場合に、隣接する他の前記補助部材の端部係合部に係合される端部被係合部と、を有することを特徴とする請求項２に記載の日射遮蔽装置の補助部材。
【発明の詳細な説明】
【技術分野】
【０００１】
本発明は、日射遮蔽装置を構造物に取り付ける際に用いる補助部材に関する。
【背景技術】
【０００２】
従来、日射遮蔽装置を窓枠に取り付けたり、日射遮蔽装置と窓枠との干渉を回避したりするために、日射遮蔽装置のブラケットと構造物の取付面との間にスペーサ等の補助部材を設置することがある。
例えば特許文献１には、窓枠の正面と下面とに日射遮蔽装置を取着し得る取付補助具が記載されている。かかる取付補助具は、直角に屈曲した板状部材で、窓枠の下面に当接する水平板部と、窓枠の正面に当接する垂直板部とを構成し、水平板部に第一の取付孔を設けるとともに、第一の取付ブラケットを取着するためのネジ孔を設け、垂直板部には、第二の取付ブラケットを取着するためのネジ孔を設けた構成となっている。
【先行技術文献】
【特許文献】
【０００３】
【特許文献１】特許第３８０８７６８号公報
【発明の概要】
【発明が解決しようとする課題】
【０００４】
特許文献１に記載の取付補助具を用いて日射遮蔽装置を構造物に取り付ける場合、始めに取付補助具をねじで構造物に固定し、次に日射遮蔽装置のブラケットを取付補助具に重ねて配置し、取付補助具のねじ穴にブラケットをねじで固定していた。そのため、ねじ等の固定具による固定作業が多くなり、日射遮蔽装置の取付作業が煩雑になるという問題があった。
【０００５】
本発明は、前記した問題を解決し、日射遮蔽装置の取付作業の施工性を向上することが可能な日射遮蔽装置の補助部材を提供することを課題とする。
【課題を解決するための手段】
【０００６】
前記課題を解決するため、本発明は、日射遮蔽装置のブラケットと構造物の取付面との間に設置される日射遮蔽装置の補助部材であって、前記ブラケットに係合する係合部を有することを特徴とする。
【０００７】
このような構成によれば、日射遮蔽装置の補助部材は、ブラケットに係合する係合部を有するので、当該係合部によって補助部材をブラケットに予め係合することができる。そのため、補助部材を取付面に取り付けるためのねじ等の固定具が不要になる。また、ブラケットと補助部材とを取付面に同時に固定する際に、作業者はどちらか一方だけを保持すればよいので、施工性が向上する。また、固定作業の際に、ブラケットと補助部材の位置ずれを係合部によって抑制することができる。その結果、日射遮蔽装置の取付作業の施工性を向上することができる。
【０００８】
また、前記係合部は、前記ブラケットにスナップフィットで係合する構成とするのが好ましい。
【０００９】
このような構成によれば、係合部は、ブラケットにスナップフィットで係合するので、治具や工具を用いることなく、補助部材をブラケットに容易に係合することができる。
【００１０】
また、前記係合部は、前記ブラケットを両側から挟持する構成とするのが好ましい。
【００１１】
このような構成によれば、係合部は、ブラケットを両側から挟持する構成となっているので、ブラケットと補助部材とを確実に係合することができる。
【００１２】
また、日射遮蔽装置の補助部材は、複数の前記補助部材を互いに重ねて設置可能であり、隣接して重ねられた他の前記補助部材の係合部に係合される被係合部を有するのが好ましい。
【００１３】
このような構成によれば、例えば、取付面に対する障害物の突出量が大きく、一つの補助部材では日射遮蔽装置と障害物との干渉を回避できない場合でも、複数の補助部材を互いに重ねて用いることで、日射遮蔽装置と障害物との干渉を回避することができる。さらに、補助部材は、隣接して重ねられた他の補助部材の係合部に係合される被係合部を有するので、他の補助部材を取付面に取り付けるためのねじ等の固定具が不要になる。また、複数の補助部材とブラケットとを取付面に同時に固定する際に、作業者はいずれか一つだけを保持すればよいので、施工性が向上する。また、固定作業の際に、複数の補助部材とブラケットとの位置ずれを係合部及び被係合部によって抑制することができる。その結果、日射遮蔽装置の取付作業の施工性を向上することができる。
【００１４】
また、前記被係合部は、他の前記補助部材を前記取付面に垂直な軸回りに１８０度相対回転させた状態で、他の前記補助部材の係合部に係合可能になる位置に設けられている構成とするのが好ましい。
【００１５】
このような構成によれば、同一形状の複数の補助部材を１８０度相対回転させて互いに重ねて係合させることが可能になる。そのため、多種類の補助部材を製造する必要がなくなり、金型数や部品点数を削減することができる。
【００１６】
また、本発明に係る日射遮蔽装置の補助部材は、前記補助部材の端部から延出し、前記ブラケットの端部にスナップフィットで係合する端部係合部と、前記端部係合部と反対側の前記補助部材の端部に設けられ、複数の前記補助部材を重ねて設置した場合に、隣接する他の前記補助部材の端部係合部に係合される端部被係合部と、を有する構成とするのが好ましい。
【００１７】
このような構成によれば、補助部材は、端部係合部と端部被係合部とを有するので、補助部材の端部をブラケット又は他の補助部材の端部に確実に係合させることができる。そのため、補助部材とブラケットの外れや位置ずれ、又は、補助部材と他の補助部材との外れや位置ずれを一層抑制することができる。
【発明の効果】
【００１８】
本発明によれば、日射遮蔽装置の取付作業の施工性を向上することが可能となる。
【図面の簡単な説明】
【００１９】
【図１】第１実施形態に係る日射遮蔽装置の補助部材を備えた日射遮蔽装置の取付構造の断面図である。
【図２】補助部材とブラケットの分解斜視図である。
【図３】（ａ）は補助部材の正面図、（ｂ）は（ａ）のｂ−ｂ矢視断面図、（ｃ）は（ａ）のｃ−ｃ矢視断面図、である。
【図４】第２実施形態に係る日射遮蔽装置の補助部材の斜視図であり、（ａ）は補助部材を重ねる前、（ｂ）は補助部材を重ねた後、の斜視図である。
【発明を実施するための形態】
【００２０】
本発明の第１実施形態について、図面を参照して詳細に説明する。説明において、同一の要素には同一の符号を付し、重複する説明は省略する。また、方向を説明する場合は、図１、図２に矢印で示す方向に基づいて説明する。なお、［左右方向］と「幅方向」は同義である。
【００２１】
図１に示すように、第１実施形態に係る日射遮蔽装置の補助部材１（以下、単に「補助部材１」という）は、日射遮蔽装置２のブラケット３と構造物４の取付面４ａとの間に設置されている。
【００２２】
日射遮蔽装置２が取り付けられる構造物４は、例えば建物の窓開口上部の壁面等である。第１実施形態の構造物４は、開口部としての窓４ｂを有する壁体４１と、窓４ｂの周囲に設置された窓枠４２と、窓枠４２に取り付けられたサッシ４３と、サッシ４３に支持された窓ガラス４４と、を有している。壁体４１の室内側面のうち窓枠４２の上方の部位が、日射遮蔽装置２を取り付ける取付面４ａとなる。窓枠４２は、取付面４ａよりも突出量Ｘだけ突出している。
なお、取付面４ａは、壁体４１の室内側面に限定されるものではなく、例えば天井面や窓枠自体であってもよい。
【００２３】
日射遮蔽装置２は、窓４ｂを覆うことで日射を遮る装置である。日射遮蔽装置２は、取付面４ａに固定されるブラケット３と、ブラケット３に支持されたヘッドボックス２１と、ヘッドボックス２１に吊り下げられた遮蔽材２２と、を主に有している。
【００２４】
ヘッドボックス２１は、遮蔽材２２の昇降手段や傾動手段（図示省略）を収納する箱状部材であり、窓４ｂの幅方向（左右方向）に沿って延設されている。ヘッドボックス２１は、ブラケット３に着脱可能に固定されている。ヘッドボックス２１の上部であって室内側の角部と室外側の角部には、ブラケット３に掛止される鉤状の被掛止部２１ａ，２１ｂがそれぞれ設けられている。
【００２５】
遮蔽材２２は、例えば複数のスラット２２ａを備えた横型ブラインドである。遮蔽材２２は、図示しない昇降手段で昇降コード２２ｂを巻取り・巻き戻しすることで、上下方向に開閉する。また、遮蔽材２２は、図示しない傾動手段でラダーコード２２ｃを駆動することによって傾動し、スラット２２ａ同士の隙間を開閉する。取付面４ａから遮蔽材２２までの離間距離Ｙは、窓枠４２の突出量Ｘよりも大きくなるように（Ｙ＞Ｘ）、補助部材１によって調節されている。
なお、遮蔽材２２は、横型ブラインドに限定されるものではなく、プリーツスクリーン、たくし上げカーテン、ロールスクリーン等であってもよい。
【００２６】
図１、図２に示すように、ブラケット３は、側面視で逆Ｌ字形状に形成された金属製の部材である。ブラケット３は、上下方向に延在する垂直部３１と、垂直部３１の上端から室内側に延出する水平部３２とを有している。
【００２７】
垂直部３１は、補助部材１を介して取付面４ａに固定される部位である。垂直部３１は、幅方向の両側部から室内側に延出する一対の側部フランジ３１ａを有している。また、垂直部３１には、ねじＮ（図１参照）を挿通するための貫通孔３１ｂが形成されている。また、垂直部３１の下端側には、スポンジや軟質ゴム等からなる弾性体３１ｃが設置されている。弾性体３１ｃは、ブラケット３に対するヘッドボックス２１のがたつきや滑りを抑制する滑り止め手段として機能する。
【００２８】
水平部３２は、ヘッドボックス２１を支持する部位である。水平部３２は、水平方向の両側部から立ち下がる一対の上部フランジ３２ａを有している。また、上部フランジ３２ａには、ヘッドボックス２１の室内側の被掛止部２１ａを掛止する鉤状の掛止部３２ｂが形成されている。
【００２９】
また、上部フランジ３２ａの間には、水平部３２に沿ってスライドするスライド機構３２ｃが設置されている。スライド機構３２ｃの室外側（取付面４ａ側）には、ヘッドボックス２１の室外側の被掛止部２１ｂを掛止する鉤状の掛止部３２ｄが設けられている。スライド機構３２ｃ（つまり掛止部３２ｄ）は、図示しない付勢手段によって室内側（被掛止部２１ｂ側）に向かって付勢されている。付勢手段の付勢力に抗して被掛止部２１ｂを掛止部３２ｄに下側から嵌め入れることで、スライド機構３２ｃがスライドし、被掛止部２１ｂが掛止部３２ｄに弾性的に掛止される。
【００３０】
なお、ブラケット３の形状・構造等はこれに限定されるものではなく、どのようなものであってもよい。例えば、ブラケット３を側面視でＩ字形状に形成し、ヘッドボックス２１の室外側面を支持するようにしてもよい。
【００３１】
図１、図２、図３に示すように、補助部材１は、取付面４ａとブラケット３の間に設置される部材であり、例えば樹脂材料で形成されている。補助部材１は、取付面４ａから遮蔽材２２までの離間距離Ｙを調節する機能を有する。補助部材１は、ブラケット３の垂直部３１に係合している。補助部材１は、本体部１１と、本体部１１から延出する一対の係合部１２及び端部係合部１３と、本体部１１に凹設された一対の被係合部１４及び端部被係合部１５と、を主に有している。
【００３２】
本体部１１は、上下方向に細長い略直方体形状の外形を有するブロック状の部位である。本体部１１は、取付面４ａとブラケット３とに挟持されている。本体部１１は、小判形（楕円形）の２つの貫通孔１１ａを有している。２つの貫通孔１１ａは、ねじＮを挿通するための孔であり、幅方向の中央部に上下に並んで配置されている。また、本体部１１は、軽量化のための複数の肉抜き部１１ｂと、剛性強化のための複数のリブ１１ｃと、を有している。
【００３３】
一対の係合部１２は、本体部１１の幅方向の両側部から室内側に延出する板状の部位であり、ブラケット３の垂直部３１に係合する機能を有する。一対の係合部１２の間隔は、ブラケット３の幅方向の寸法に略一致している（図３（ｃ）参照）。一対の係合部１２の先端には、内側に突出する爪部１２ａがそれぞれ形成されている。本体部１１の室内側の面から爪部１２ａまでの間隔Ｈ１は、側部フランジ３１ａの高さ寸法Ｈ２に略一致している（Ｈ１＝Ｈ２：図３（ｃ）参照）。
【００３４】
一対の係合部１２は、ブラケット３に対してスナップフィットで係合する。具体的には、爪部１２ａの室内側の面は、内側に向かうほど本体部１１側に位置するように傾斜している。そのため、一対の係合部１２をブラケット３の垂直部３１に室外側から押し付けると、この爪部１２ａの傾斜面によって一対の係合部１２が弾性変形して押し広げられ、一対の係合部１２の間（爪部１２ａの間）に垂直部３１が入り込む。そして、爪部１２ａが側部フランジ３１ａを越えると、一対の係合部１２が元の状態に戻る。これにより、一対の係合部１２が垂直部３１を幅方向の両側から挟持すると共に、爪部１２ａが側部フランジ３１ａの先端に係合し、補助部材１がブラケット３にスナップフィットで係合した状態となる。
【００３５】
端部係合部１３は、本体部１１の上下方向の一方の端部（第１実施形態では下端部）から室内側に延出する板状の部位である。端部係合部１３の先端には、他方の端部に向かって突出する爪部１３ａが形成されている。本体部１１の室内側の面から爪部１３ａまでの間隔Ｔ１は、垂直部３１の板厚寸法Ｔ２に略一致している（Ｔ１＝Ｔ２：図３（ｂ）（ｃ）参照）。端部係合部１３も、係合部１２と同様に、ブラケット３にスナップフィットで係合する。
【００３６】
一対の被係合部１４及び端部被係合部１５は、補助部材１を複数重ねて使用する場合に、重ねられた他の補助部材１の一対の係合部１２及び端部係合部１３が係合する部位である。一対の被係合部１４及び端部被係合部１５については、第２実施形態において図３、図４を参照して詳細に説明する。
【００３７】
補助部材１を介してブラケット３を取付面４ａに固定する場合は、まず、補助部材１をブラケット３にスナップフィットで係合させる。次に、補助部材１が係合したブラケット３を取付面４ａの所定位置に配置する。このとき、作業者は、補助部材１及びブラケット３の少なくとも一方を支持すればよい。そして、ブラケット３の貫通孔３１ｂ及び補助部材１の貫通孔１１ａにねじＮ（図１参照）を挿通し、電動ドライバー等の工具を用いてねじＮを取付面４ａに螺合する。これにより、ブラケット３の固定作業が完了する。
【００３８】
以上のように構成された補助部材１は、ブラケット３に係合する一対の係合部１２を有するので、当該一対の係合部１２によって補助部材１をブラケット３に予め係合することができる。そのため、補助部材１を取付面４ａに先行して取り付けるための固定具が不要になる。また、ブラケット３と補助部材１とを取付面４ａにねじＮで同時に固定する際に、作業者はどちらか一方だけを保持すればよいので、施工性が向上する。また、固定作業の際に、ブラケット３と補助部材１の位置ずれを一対の係合部１２によって抑制することができる。その結果、日射遮蔽装置２の取付作業の施工性を向上することができる。
【００３９】
また、一対の係合部１２は、ブラケット３にスナップフィットで係合するので、治具や工具を用いることなく、補助部材１をブラケット３に容易に係合することができる。また、一対の係合部１２は、ブラケット３を幅方向の両側から挟持する構成となっているので、ブラケット３と補助部材１とを確実に係合することができる。
【００４０】
また、補助部材１は、ブラケット３の端部に係合する端部係合部１３を有するので、ブラケット３に３方向から係合する。そのため、ブラケット３と補助部材１とを一層確実に係合することができる。
【００４１】
次に、第２実施形態に係る日射遮蔽装置の補助部材について、図３、図４（主に図４）を参照して詳細に説明する。なお、第１実施形態と同一の要素には同一の符号を付し、重複する説明を省略する。
【００４２】
図４（ａ）（ｂ）に示すように、第２実施形態に係る補助部材１は、複数（第２実施形態では２つ）重ねて設置されている。説明の便宜上、ブラケット３に係合する補助部材１を第１補助部材１Ａと表記し、この第１補助部材１Ａに重ねて設置される補助部材１を第２補助部材１Ｂと表記する。第２補助部材１Ｂは、第１補助部材１Ａと同一の構造であるが、第１補助部材１Ａに対して上下反転（１８０度相対回転）した姿勢になっている。以下、一対の被係合部１４及び端部被係合部１５について詳細に説明し、その他の部位の説明は第１実施形態と同様であるので割愛する。
【００４３】
第１補助部材１Ａは、第２補助部材１Ｂの一対の係合部１２に係合される一対の被係合部１４と、第２補助部材１Ｂの端部係合部１３に係合される端部被係合部１５（図３参照）と、を有している。
【００４４】
図３、図４に示すように、一対の被係合部１４は、本体部１１の幅方向の側面に凹設された凹部である。本体部１１の室外側の面から被係合部１４までの間隔Ｈ３は、本体部１１の室内側の面から爪部１２ａまでの間隔Ｈ１（すなわちブラケット３の側部フランジ３１ａの高さ寸法Ｈ２）と略同一である（Ｈ３＝Ｈ１＝Ｈ２：図４（ａ）参照）。また、一対の被係合部１４は、一対の係合部１２に対して、本体部１１の中心を通り取付面４ａに垂直な軸Ｃ（図３参照）回りに１８０度回転対称となる位置に形成されている。
【００４５】
端部被係合部１５は、本体部１１の上端部（端部係合部１３と反対側の端部）に凹設された凹部である。本体部１１の室内側の面から端部被係合部１５までの間隔Ｔ３は、本体部１１の室内側の面から爪部１３ａまでの間隔Ｔ１（すなわちブラケット３の垂直部３１の板厚寸法Ｔ２）と略同一である（Ｔ３＝Ｔ１＝Ｔ２：図３（ｂ）（ｃ）参照）。
【００４６】
第２補助部材１Ｂの一対の係合部１２は、ブラケット３ではなく、第１補助部材１Ａの一対の被係合部１４に係合している。また、第２補助部材１Ｂの端部係合部１３は、ブラケット３ではなく、第１補助部材１Ａの端部被係合部１５に係合している。
【００４７】
第１補助部材１Ａに第２補助部材１Ｂを係合させる場合は、まず、図４（ａ）に示すように、第１補助部材１Ａに対して、第２補助部材１Ｂを軸Ｃ周りに１８０度相対回転させて、上下反転した姿勢にする。これにより、第２補助部材１Ｂの一対の係合部１２が、第１補助部材１Ａの一対の被係合部１４に対応した位置に配置された状態となる。また、第２補助部材１Ｂの端部係合部１３が、第１補助部材１Ａの端部被係合部１５に対応した位置に配置された状態となる。
【００４８】
次に、この状態の第２補助部材１Ｂを第１補助部材１Ａに向かって押し込む。これにより、図４（ｂ）に示すように、第２補助部材１Ｂの一対の係合部１２が第１補助部材１Ａの一対の被係合部１４にスナップフィットによって係合する。また、第２補助部材１Ｂの端部係合部１３が第１補助部材１Ａの端部被係合部１５にスナップフィットによって係合する。
【００４９】
次に、第２実施形態に係る日射遮蔽装置の補助部材１（第１補助部材１Ａ及び第２補助部材１Ｂ）の作用効果について説明する。
【００５０】
例えば、窓枠４２（図１参照）の突出量Ｘが大きく、１つの補助部材１だけでは遮蔽材２２が窓枠４２に干渉してしまう場合に、第１補助部材１Ａと第２補助部材１Ｂを重ねて設置することで、遮蔽材２２と窓枠４２の干渉を回避することがある。
このとき、第２実施形態に係る日射遮蔽装置の補助部材１（第１補助部材１Ａ及び第２補助部材１Ｂ）によれば、第１補助部材１Ａは、隣接して重ねられた第２補助部材１Ｂの一対の係合部１２に係合される一対の被係合部１４を有するので、第２補助部材１Ｂが第１補助部材１Ａに係合した状態になる。また、第１補助部材１Ａは、ブラケット３に係合した状態になる。そのため、第１補助部材１Ａ及び第２補助部材１Ｂを取付面４ａに先行して取り付けるためのねじ等が不要になる。また、これらを取付面４ａに取り付ける作業者は、ブラケット３、第１補助部材１Ａ、第２補助部材１Ｂのいずれか一つを保持すればよいので、施工性が向上する。また、固定作業の際に、ブラケット３と第１補助部材１Ａと第２補助部材１Ｂとの位置ずれをそれぞれの係合部１２によって抑制することができる。その結果、日射遮蔽装置２の取付作業の施工性を向上することができる。
【００５１】
また、第１補助部材１Ａの一対の被係合部１４は、第２補助部材１Ｂを取付面４ａに垂直な軸Ｃ回りに１８０度相対回転させた状態で、第２補助部材１Ｂの一対の係合部１２に係合可能になる位置に設けられているので、同一形状の２つの補助部材１を１８０度相対回転させて互いに重ねて設置することが可能になる。そのため、多種類の補助部材１を製造する必要がなくなり、金型数や部品点数を削減することができる。
【００５２】
また、第１補助部材１Ａは、本体部１１の下端部から延出し、ブラケット３１の下端部にスナップフィットで係合する端部係合部１３と、端部係合部１３と反対側の本体部１１の上端部に設けられ、第２補助部材１Ｂの端部係合部１３に係合される端部被係合部１５と、を有するので、第１補助部材１Ａに対して、第２補助部材１Ｂを１８０度相対回転させた姿勢にすれば、第１補助部材１Ａの端部被係合部１５に第２補助部材１Ｂの端部係合部１３を係合させることができる。そのため、第１補助部材１Ａと第２補助部材１Ｂとの外れや位置ずれを一層抑制することができる。
【００５３】
以上、本発明の実施形態について説明したが、本発明は前記実施形態に限定されることなく、その趣旨を逸脱しない範囲で適宜に変更が可能である。
【００５４】
例えば、第２実施形態では、同一形状に構成した第１補助部材１Ａと第２補助部材１Ｂとを１８０度相対回転させて重ね合わせたが、本発明はこれに限定されるものではない。例えば、金型数や部品点数は多くなるが、互いに係合可能な２種類の補助部材を用意し、これらを交互に重ねて設置してもよい。
【００５５】
また、本実施形態では、本体部１１の側面に被係合部１４を凹設したが、本発明はこれに限定されるものではない。例えば、本体部１１の室内側の面から係合部１２の爪部１２ａまでの間隔Ｈ１（図４参照）が、本体部１１の厚さ寸法と同一であれば、本体部１１の室内側の面に爪部１２ａを係止すること（つまり、本体部１１の室内側の面を被係合部１４として利用すること）ができる。
【００５６】
また、本実施形態では、一対の係合部１２の両方をスナップフィットでブラケット３に係合させる構成としたが、本発明はこれに限定されるものではない。例えば、始めに、一方の係合部１２をスナップフィットではない係合手段でブラケット３に係合させ、その後に、一方の係合部１２を支点として補助部材１を回転させながら、他方の係合部１２をスナップフィットでブラケット３に係合させるようにしてもよい。
【符号の説明】
【００５７】
１        補助部材
１１      本体部
１２      係合部
１３      端部係合部
１４      被係合部
１５      端部被係合部
２        日射遮蔽装置
３        ブラケット
３１      垂直部
３２      水平部
４        構造物
４ａ      取付面
【図１】
0006622454.tif 000002
【図２】
0006622454.tif 000003
【図３】
0006622454.tif 000004
【図４】
0006622454.tif 000005